(57)【要約】      （修正有）【課題】モジュール化及びメンテナンスに便利であり、良好な構造強度を有する発光グリルを提供する。【解決手段】発光グリルは、１つの環フレームソケット１と、環フレームソケット１の該組み立て空間内に着脱可能に取り付けられる１つの発光機構２と、を含み、発光機構２は、左右に係合する少なくとも２つの係合ソケット２１、２２と、係合ソケット２１、２２のうち１つに取り付けられる少なくとも１つの発光モジュール２０と、係合ソケット２１、２２に分離可能に接続する少なくとも２つの位置決め部材２４、２４’と、を含み、各位置決め部材が何れも係合ソケット２１、２２のうち１つに結合し、１つの挿入溝を有する１つの溝成型部材２４１と、係合ソケット２１、２２のもう１つに結合し、溝成型部材２４１の該挿入溝内に挿入設置可能な１つの挿入固定部材２４２と、を有する。【選択図】図２
0003200898.tif 000002
【実用新案登録請求の範囲】
【請求項１】
１つの組み立て空間を含む１つの環フレームソケットと、
該環フレームソケットの該組み立て空間内に着脱可能に取り付けられるとともに、左右に係合する少なくとも２つの係合ソケットと、該係合ソケットのうち１つに取り付けられる少なくとも１つの発光モジュールと、該係合ソケットに分離可能に接続する少なくとも２つの位置決め部材と、を含み、各位置決め部材が何れも該係合ソケットのうち１つに結合し、１つの挿入溝を有する１つの溝成型部材と、該係合ソケットのもう１つに結合し、該溝成型部材の該挿入溝内に挿入設置可能な１つの挿入固定部材と、を有する１つの発光機構と、
を含む発光グリル。
【請求項２】
前記発光機構は、左右に間隔をおいた２つの第１係合ソケットと、それぞれ該第１係合ソケットの相反側に位置する２つの第２係合ソケットと、該第１係合ソケット間に位置する１つの第３係合ソケットと、該第１係合ソケット及び該第３係合ソケットの間に上下に間隔をおいて接続される複数の第１位置決め部材と、該第１係合ソケット及び該第２係合ソケットの間に上下に間隔をおいて接続される複数の第２位置決め部材と、を含む請求項１に記載の発光グリル。
【請求項３】
前記環フレームソケットは、更に、該組み立て空間を定義する１つの環フレーム部と、該環フレーム部から延伸する複数の結合部と、を含み、該発光機構は、更に、該第１係合ソケット、該第２ソケット及び該第３ソケットを該環フレームソケットの該結合部に分離可能に取り付ける複数の固定部材を含む請求項２に記載の発光グリル。
【請求項４】
前記環フレームソケットの各結合部は、何れも該環フレーム部と一体に接続する１つの凸台と、該凸台と接続する１つの結合壁と、該結合壁により定義され、且つ前向きに開口する１つの結合溝と、を有し、各第１係合ソケット及び各第２係合ソケットは、何れも左右に間隔をおいた複数のフェンス部と、該フェンス部中の隣り合ううち２つに上下に間隔をおいて接続する複数の接続部と、を有し、該接続部のうちいくつかは、該環フレームソケットの結合溝内に嵌合することができる請求項３に記載の発光グリル。
【請求項５】
前記発光機構は、複数の発光モジュールを含み、該発光モジュールは、それぞれ該第１係合ソケット及び該第２係合ソケットのフェンス部に取り付けられる請求項４に記載の発光グリル。
【請求項６】
前記第１係合ソケット及び第２係合ソケットのフェンス部は、何れも１つの発光室を有し、前記発光モジュールは、何れも該発光室に取り付けられる１つの発光部材と、該第１係合ソケット及び該第２係合ソケットのフェンス部に取り付けられ、該発光部材前方に位置する１つの透光ランプカバーと、を有する請求項５に記載の発光グリル。
【請求項７】
前記発光モジュールの透光ランプカバーは、何れも１つの殻本体を有し、該殻本体は、１つの出光面を有し、該発光モジュールは、更に、何れも該出光面に結合する少なくとも１つの透光膜層を有する請求項６に記載の発光グリル。
【請求項８】
前記各第１係合ソケットは、何れも該第３係合ソケットに向けられる１つの第１成型面と、該第２係合ソケットのうち１つに向けられる１つの第２成型面と、を有し、該第２係合ソケットは、何れも隣り合う該第１係合ソケットの第２成型面と対応する１つの第３成型面を有し、該第３係合ソケットは、それぞれ該第１係合ソケットの第１成型面と対応する２つの第４成型面を有し、該第１位置決め部材は、互いに対応する該第１成型面及び該第４成型面に設置され、該第２位置決め部材は、互いに対応する該第２成型面及び該第３成型面に設置される請求項２に記載の発光グリル。
【請求項９】
前記係合ソケットは、何れもそれぞれ１つの発光室を有する複数のフェンス部を有し、該発光機構は、それぞれ該フェンス部に取り付けられる複数の発光モジュールを含み、各発光モジュールは、何れも該フェンス部の発光室内に取り付けられる１つの発光部材と、該フェンス部に結合する１つの透光ランプカバーを有する請求項１に記載の発光グリル。
【請求項１０】
前記発光モジュールの透光ランプカバーは、何れも１つの殻本体を有し、該殻本体は、１つの出光面を有し、該発光モジュールは、何れも該出光面に結合する複数の透光膜層を有する請求項９に記載の発光グリル。
【考案の詳細な説明】
【技術分野】
【０００１】
本考案は、発光グリルに関し、特に、車両上に取り付け、車両の水タンクを保護することができる発光グリルに関する。
【背景技術】
【０００２】
一般車両は、設計上、車両前方内部に水タンクを取り付け、機械の運転時に必要な冷却水を提供し、水タンクを保護し、水タンク周囲の空気に流通を保持させるため、通常、車両に１つの水タンク前方に位置する発光グリルを取り付ける。従来の発光グリルは、設計上、皆一体に成型され、従って、局部領域が損壊する時、全ての発光グリルを交換する必要があり、たとえ、全て交換する必要がなくとも、車両上から発光グリル全体を取り外し、メンテナンスを行う必要があり、故に、従来の発光グリルは、メンテナンスにおいて、比較的不便である。
【０００３】
前記欠陥を改善する為、本考案者は、証書番号第Ｍ４８３２０７号の実用新案を出願しており、該実用新案は、モジュール化の設計により、発光グリルのメンテナンス時の利便性を確実に向上することができているが、前記実用新案は、複数の互いに係合する係合ソケットを含み、隣り合う係合ソケット間は、凸ブロック及び嵌合溝間の組み合わせ嵌合を利用し、発光グリルが外力の衝突に遭遇する時、嵌合溝の周囲から破裂し易く、前記実用新案の構造強度は、更に改善の余地がある。
【先行技術文献】
【特許文献】
【０００４】
【特許文献１】台湾登録実用新案第Ｍ４８３２０７号公報
【考案の概要】
【考案が解決しようとする課題】
【０００５】
本考案の目的は、メンテナンスに便利であり、良好な構造強度を有する発光グリルを提供することにある。
【課題を解決するための手段】
【０００６】
本考案の発光グリルは、１つの組み立て空間を定義する１つの環フレームソケットと、該環フレームソケットの該組み立て空間内に着脱可能に取り付けられる１つの発光機構と、を含み、該発光機構は、左右に係合する少なくとも２つの係合ソケットと、該係合ソケットのうち１つに取り付けられる少なくとも１つの発光モジュールと、該係合ソケットに分離可能に接続する少なくとも２つの位置決め部材と、を含み、各位置決め部材が何れも該係合ソケットのうち１つに結合し、１つの挿入溝を有する１つの溝成型部材と、該係合ソケットのもう１つに結合し、該溝成型部材の該挿入溝内に挿入設置可能な１つの挿入固定部材と、を有する。
【考案の効果】
【０００７】
本考案の有益な効果は、以下にある：該互いに係合可能な係合ソケットの設計を利用し、モジュール化及びメンテナンスに便利であるという目的を達成することができ、該位置決め部材の挿入固定部材及び挿入溝の組み合わせにより、隣り合う該係合ソケット上の結合部位の構造強度を向上することができ、これにより、発光グリルの構造強度を向上する。
【図面の簡単な説明】
【０００８】
【図１】本考案の発光グリルの実施例の正面図である。
【図２】該実施例の１つの立体分解図である。
【図３】図１中のIII-III線より得られる断面図である。
【図４】該実施例の１つの局部正面立体分解図であり、該発光グリルの第１係合ソケット及び第３係合ソケットの相対関係を説明する図である。
【図５】該実施例の１つの局部背面立体分解図であり、該第１係合ソケット及び該第３係合ソケットの相対関係を説明する図である。
【図６】図１中VI-VIより得られる断面図である。
【図７】図１中のVII−VII線より得られる断面図である。
【考案を実施するための形態】
【０００９】
本考案の詳細な説明の前に、注意すべき点として、以下の説明内容において、類似する部材は、同一の符号で表示する。
【００１０】
図１、図２、図３を参照し、本考案の発光グリルの実施例は、１つの環フレームソケット１と、該環フレームソケット１に着脱可能に取り付けられる１つの発光機構２と、を含み、該環フレームソケット１は、１つの環フレーム部１１と、該環フレーム部１１により定義される１つの組み立て空間１２と、上下に設置され、該環フレーム部１１から後方へ突出する２列の結合部１３と、を含み、各結合部１３は、何れも該環フレーム部１１と一体に接続される１つの凸台１３１と、該凸台１３１と接続し、且つ断面がＵ形である１つの結合壁１３２と、該結合壁１３２により定義され、且つ前向きに開口する１つの結合溝１３３と、を有し、該結合壁１３２は、前後方向に延伸する１つの貫通孔１３４を有する。
【００１１】
本実施例は、該発光機構２は、該環フレームソケット１の組み立て空間１２内に着脱可能に取り付けられ、左右に間隔をおいた２つの第１係合ソケット２１と、それぞれ該第１係合ソケット２１外側に位置する２つの第２係合ソケット２２と、該第１係合ソケット２１間に位置する１つの第３係合ソケット２３と、該第１係合ソケット２１及び該第３係合ソケット２３を嵌合する複数の第１位置決め部材２４と、隣り合う該第１、第２係合ソケット２１，２２を嵌合する複数の第２位置決め部材２４’と、複数の固定部材２５と、それぞれ該第１、第２係合ソケット２１，２２上に取り付けられる複数の発光モジュール２０と、を含む。該固定部材２５は、それぞれ該環フレームソケット１の該貫通孔１３４を貫通し、該第１係合ソケット２１、該第２係合ソケット２２及び該第３係合ソケット２３を該環フレームソケット１の組み立て空間１２内に結合する。
【００１２】
図１、図２、図４、図５を参照し、各第１係合ソケット２１は、何れも左右に間隔をいた３つのフェンス部２１１，２１１’，２１１’’と、該フェンス部２１１，２１１’，２１１’’中の隣り合うそのうち２つを接続する複数の接続部２１３と、を有する。各フェンス部２１１，２１１’，２１１’’は、何れも１つの横断面がＵ形を呈する１つのフレーム壁２１４と、該フレーム壁２１４により定義され、且つ前向きに開口する１つの発光室２１５と、を有する。また、該第１係合ソケット２１は、更に、該フェンス部２１１のフレーム壁２１４に位置する１つの第１成型面２１７と、該フェンス部２１１’’ のフレーム壁２１４に位置する１つの第２成型面２１８と、を有し、該第１成型面２１７及び第２成型面２１８は、それぞれ該第３係合ソケット２３及び該第２係合ソケット２２のうち１つへ向いている。
【００１３】
該第２係合ソケット２２の構造は、該第１係合ソケット２１と類似し、故に、左右に間隔をおいた複数のフェンス部２２１と、隣り合うフェンス部２２１を接続する複数の接続部２２３と、該フェンス２１のいずれか１つに位置する１つの第３成型面２２４と、を有し、該第３成型面２２４は、隣り合う該第１係合ソケット２１と隣り合う第２成型面２１８と相対して設置され、前記フェンス部２２１も、Ｕ形フレーム壁を有し、前向きに開口する１つの発光室を形成し、該フェンス部２２１の構造は、該第１係合ソケット２１のフェンス部２１１，２１１’，２１１’’の構造と同一であるので、再度図面による説明を行わない。
【００１４】
本実施例の該第３係合ソケット２３は、車両のエンブレムを取り付けさせることができ、通孔２３０を定義する１つのフレーム周壁２３１と、該フレーム周壁２３１の相反側に２つずつ対象に位置する凸ブロック２３２と、を有し、該凸ブロック２３２は、上下左右に対応し、また、該第３係合ソケット２３は、更に、それぞれ該第１係合ソケット２１の第１成型面２１７に向いた２つの第４成型面２３３を有し、該第４成型面２３３は、何れも同一側の該凸ブロック２３２及びフレーム周壁２３１の局部領域を跨ぐ。該第１位置決め部材２４は、該第１成型面２１７及び該第４成型面２３３の間に設けられ、それぞれ該第１係合ソケット２１及び該第３係合ソケット２３を嵌合することに用い、従って、第２位置決め部材２４’は、対応する第２成型面２１８及び第３成型面２２４の間に成型され、それぞれ隣り合う該第１係合ソケット２１及び該第２係合ソケット２２を嵌合することに用い、該第１、第２位置決め部材２４，２４’の構造は同一であるので、以下にただ該第１位置決め部材２４のみを説明する。
【００１５】
本実施例の各第１位置決め部材２４は、何れも該第１係合ソケット２１の第１成型面２１７に一体に成型される１つの溝成型部材２４１と、該第３係合ソケット２３の第４成型面２３３上に一体に成型される１つの挿入固定部材２４２と、を有し、該溝成型部材２４１は、後ろ向きに開口し、該挿入固定部材２４２をその中に挿入設置させる１つの挿入溝２４３を有する。前記溝成型部材２４１及び該挿入溝２４３が設置される位置も対応して調整することができる。
【００１６】
図２、図６、図７を参照し、本実施例において、該発光モジュール２０は、何れも該第１係合ソケット２１及び該第２係合ソケット２２内に取り付けられる１つの発光部材２０１と、該第１係合ソケット２１及び該第２係合ソケット２２に被せ設けられる１つの透光ランプカバー２０２を有し、該透光ランプカバー２０２は、該発光部材２０１の前面に位置し、１つの殻本体２０３を有し、該殻本体２０３は、前方に位置する１つの出光面２０４を有し、該出光面２０４は、上下に間隔をおいた複数の第１面部２０５と、該第１面部２０５中の隣り合うそのうち２つの間に位置し、且つ相対して内凹する複数の第２面部２０６と、を有し、各発光モジュール２０は、更に、それぞれ該第１面部２０５に結合する複数の透光膜層２０７と、それぞれ該第２面部２０６に結合する複数の非透光膜層２０８と、を有し、前記透光膜層２０７及び非透光膜層２０８は、電気鍍金又は貼膜の方式で該殻本体２０３に結合でき、且つ該発光部材２０２が発光していない状態で例えば金属のような質感を作り出し、該発光部材２０１が発光する時、該透光膜層２０７によって明るい光を発生することができ、前記非透光膜層２０８は、該透光膜層２０７の間に介し、故に間がストリップ形に断裂した光線を発生することができる。設計上、本考案は、ただ該透光膜層２０７を設置するだけでもよく、該非透光膜層２０８を省略することもできる。
【００１７】
図２、図４、図６を参照し、本実施例において、該発光グリルの組み立て時、該固定部材２５のうちの数本を利用し、該第３係合ソケット２３を該環フレームソケット１の該結合部１３のうちのいくつかの間に設け、その後、該第１係合ソケット２１を該環フレームソケット１の組み立て空間１２内に掛け、組み立て時、該第１位置決め部材２４の挿入固定部材２４２を挿入溝２４３に位置合わせし、該第１係合ソケット２１の第１成型面２１７の溝成型部材２４１に成型する挿入溝２４３を該第３係合ソケット２３の第４成型面２３３に成型する挿入固定部材２４１に対応させ、その後、該固定部材２５のうち数本により、該第１係合ソケット２１を該環フレームソケット１の該結合部１３のうちのいつくかに分離可能に結合し、これにより類推し、本実施例は、また、該第２位置決め部材２４’の設置及び該固定部材２５のうちの数本を利用し、該第２係合ソケット２２を隣り合う該第１係合ソケット２１と係合する。
【００１８】
本考案の該発光グリルの使用時、該第１、第２、第３係合ソケット２１，２２，２３のうちの１つが損壊した場合、ただ該固定部材２５のうちの数本を取り外し、容易に交換することができ、故に本考案は、使用上、確実にモジュール化生産に適合し、メンテナンスに便利である効果を有する。一方で、本考案の使用過程において、外力の衝突に遭遇する時、該第１、第２、第３係合ソケット２１、２２，２３は、組み立て方式で左右に係合するが、該第１、第２係合ソケット２１，２２間は、該第２位置決め部材２４’により組み立てられ、該第１、第３係合ソケット２１，２３の間は、該第１位置決め部材２４により組み立てられ、且つ第１、第２位置決め部材２４、２４’は、何れも片状の挿入固定部材２４２及び該挿入溝２４３を有する溝成型部材２４１により一つに組み立てられ、故に、該溝成型部材２４１上に作用する作用力により、該挿入固定部材２４２の破損、損壊を引き起こし難く、従って、本考案の該発光グリルは、メンテナンスに便利である以外に、更に、構造強度が良好な利点を有する。本考案の該発光モジュール２０の設計は、点灯していない時に金属の質感を発生することができ、且つ点灯時に間隔をおいたストリップ形の光線の変化を発生し、該発光グリルの質感及び光線変化を更に増進させることができる。
【００１９】
なお、本考案では好ましい実施例を前述の通り開示したが、これらは決して本考案に限定するものではなく、当該技術を熟知する者なら誰でも、本考案の趣旨と領域を脱しない均等の範囲内で各種の変更や修正を加えることができることは勿論である。
【符号の説明】
【００２０】
１  環フレームソケット
１１  環フレーム部
１２  組み立て空間
１３  結合部
１３１  凸台
１３２  結合壁
１３３  結合溝
１３４  貫通孔
２  発光機構
２０  発光モジュール
２０１  発光部材
２０２  透光ランプカバー
２０３  殻本体
２０４  出光面
２０５  第１面部
２０６  第２面部
２０７  透光膜層
２０８  非透光膜層
２１  第１係合ソケット
２１１  フェンス部
２１１’  フェンス部
２１１’’  フェンス部
２１３  接続部
２１４  フレーム壁
２１５  発光室
２１７  第１成型面
２１８  第２成型面
２２  第２係合ソケット
２２１  フェンス部
２２３  接続部
２２４  第３成型面
２３  第３係合ソケット
２３０  通孔
２３１  フレーム周壁
２３２  凸ブロック
２３３  第４成型面
２４  第１位置決め部材
２４’  第２位置決め部材
２４１  溝成型部材
２４２  挿入固定部材
２４３  挿入溝
２５  固定部材
【図１】
0003200898.tif 000003
【図２】
0003200898.tif 000004
【図３】
0003200898.tif 000005
【図４】
0003200898.tif 000006
【図５】
0003200898.tif 000007
【図６】
0003200898.tif 000008
【図７】
0003200898.tif 000009